(57)【要約】【課題】従来の通信端末装置は、回線接続端子に外付電話を接続し、及び／又は電話接続端子に電話回線を接続するといった誤接続をした場合、正常動作しなかった。【解決手段】本発明の通信端末装置２は、回線端子７及び／又は電話端子８に、電話回線１及び／又は電話機６が誤接続された誤接続状態を判断する通信制御部１０を備え、通信制御部１０は、回線網１との間に直流ループを形成する指示を網制御素子３０に行い、直流ループが形成されたか否かを検出し、直流ループ未検出の場合に網制御素子３０をオンフックデータモードにし、網制御素子３０がオンフックデータモードの場合のダイヤルトーン信号の有無を検出し、ダイヤルトーン信号が検出されなかった場合に、誤接続状態と判断して報知を行うようにしている。これにより、通信端末装置２は、誤接続状態の判断が確実に行え、ユーザに誤接続を報知することにより、正常接続を促すことができる。【選択図】図１
2014155137.tif 000002
【特許請求の範囲】
【請求項１】
回線網が接続される回線端子と、
電話機が接続される電話端子と、
前記回線網から与えられる回線信号を検出する網制御素子と、
前記回線端子及び／又は前記電話端子に対して、前記回線網及び／又は前記電話機が誤接続された誤接続状態を判断する通信制御部と、を備えた通信端末装置であって、
前記通信制御部は、
前記回線網と前記通信端末装置との間に直流電流を流す直流ループを形成する指示を前記網制御素子へ与え、前記直流ループが形成されたか否かを検出し、前記直流ループが未検出の場合に、前記網制御素子をオンフックデータモードにし、前記オンフックデータモードにおいて、前記回線信号の内のダイヤルトーン信号の有無を検出し、前記ダイヤルトーン信号が未検出の場合に、前記誤接続状態と判断して報知を行うことを特徴とする通信端末装置。
【請求項２】
前記通信制御部は、
前記電話回線網と前記通信端末装置との間の前記直流ループの形成の指示を行う直流ループ形成指示部と、
前記直流ループが形成されたか否かを検出して第１の検出結果を出力する直流ループ形成検出部と、
前記第１の検出結果が前記直流ループ未検出の場合に、前記網制御素子を前記オンフックデータモードにする指示を出力するオンフックデータモード指示部と、
前記網制御素子が前記オンフックデータモードの場合に、前記回線網から与えられる前記ダイヤルトーン信号の有無を検出して第２の検出結果を出力するダイヤルトーン検出部と、
前記第２の検出結果が前記ダイヤルトーン信号未検出の場合に、前記誤接続状態と判断して報知を行う誤接続判断部と、を有し、
前記網制御素子は、
前記直流ループ形成指示部の前記指示に従って前記直流ループの形成を試みる直流ループ形成部を有することを特徴とする請求項１記載の通信端末装置。
【請求項３】
請求項１又は２記載の通信端末装置において、
前記回線端子及び前記電話端子と前記網制御素子との間に接続されたダイオードブリッジを有し、
前記直流ループ形成部は、
前記ダイオードブリッジの正極と負極とを前記網制御素子の接地端子に接続して、前記電話回線網の直流電圧を保持することを特徴とする通信端末装置。
【請求項４】
前記網制御素子は、
前記オンフックデータモードとは異なる通常モード時には、所定の回線インピーダンスで前記電話回線網とインピーダンス整合をとって、前記回線信号を検出すると共に、前記オンフックデータモード時には、前記回線インピーダンスに比べて高いインピーダンスで前記回線信号を検出するものであることを特徴とする請求項１〜３のいずれか１項記載の通信端末装置。
【請求項５】
請求項１〜４のいずれか１項記載の通信端末装置において、
前記網制御素子と、前記回線端子及び前記電話端子と、の接続を交互に切り換えるリレーを備え、
前記誤接続判断部は、前記誤接続状態と判断した場合に、前記リレーを動作させて、前記接続状態を切り換えることを特徴とする通信端末装置。
【請求項６】
前記誤接続判断部は、
前記誤接続状態と判断した場合に、前記リレーを動作させて、前記誤接続状態を正しい接続状態に切り換えることを特徴とする請求項５記載の通信端末装置。
【請求項７】
回線網が接続される回線端末と、電話機が接続される電話端子と、を備えた通信端末装置を用いて、前記回線端子及び／又は前記電話端子に対して、前記回線網及び／又は前記電話機が誤接続された誤接続状態を検出する誤接続検出方法であって、
前記直流ループの形成を前記網制御素子に指示して、前記直流ループの形成を試みる第１処理と、
前記直流ループが形成されたか否かを検出する第２処理と、
前記回線網から与えられる前記ダイヤルトーン信号の有無を検出する第３処理と、
前記直流ループが未検出であり、前記第３処理において、前記ダイヤルトーン信号が検出されない場合、前記誤接続状態と判断して前記報知を行う第４処理と、
を有することを特徴とする誤接続検出方法。
【請求項８】
前記誤接続検出方法は、更に、
前記第４処理において、前記誤接続状態と判断された場合に、前記リレーを動作させて、前記誤接続状態を正しい接続状態に切り換える第５処理を有することを特徴とする請求項７記載の誤接続検出方法。
【発明の詳細な説明】
【技術分野】
【０００１】
本発明は、外付電話機及び回線網と接続し、この回線網に接続された他の通信端末装置とファクシミリデータの授受を行う通信端末装置、及びこの通信端末装置を用いた回線端子及び／又は電話端子の誤接続検出方法に関するものである。
【背景技術】
【０００２】
従来、下記特許文献１に記載されているように、この種の通信端末装置では、電話／ファクシミリの自動切換えモード時に、外付電話機のフックアップを検出して、例えば、シリコンＤＡＡ（Digital  Access  Arrangement）等の網制御素子を高インピーダンスに切り替えて、シリコンＤＡＡにて、ファクシミリ識別信号（ＣＮＧ信号）を検出していた。
【先行技術文献】
【特許文献】
【０００３】
【特許文献１】特開２０１０−１７１７６５号公報
【発明の概要】
【発明が解決しようとする課題】
【０００４】
通信端末装置の有する回線端子と電話端子との形状が同じであるため、ユーザが誤って、回線端子に外付電話機を接続し、電話端子に回線網を接続するといった誤接続をする虞がある。誤接続された場合、動作不良となるが、従来の通信端末装置は、誤接続状態か否かを確実に検出することができなかった。
【課題を解決するための手段】
【０００５】
本発明の通信端末装置は、回線網が接続される回線端子と、電話機が接続される電話端子と、前記回線網から与えられる回線信号を検出する網制御素子と、前記回線端子及び（／又は）前記電話端子に対して、前記回線網及び（／又は）前記電話機が誤接続された誤接続状態を判断する通信制御部と、を備えた通信端末装置であって、前記通信制御部は、前記回線網と前記通信端末装置との間に直流電流を流す直流ループを形成する指示を前記網制御素子へ与え、前記直流ループが形成されたか否かを検出し、前記直流ループが未検出の場合に、前記網制御素子をオンフックデータモードにし、前記オンフックデータモードにおいて、前記回線信号の内のダイヤルトーン信号の有無を検出し、前記ダイヤルトーン信号が未検出の場合に、前記誤接続状態と判断して報知を行うことを特徴とする。
【０００６】
本発明の誤接続検出方法は、回線網が接続される回線端末と、電話機が接続される電話端子と、を備えた通信端末装置を用いて、前記回線端子及び（／又は）前記電話端子に対して、前記回線網及び（／又は）前記電話機が誤接続された誤接続状態を検出する誤接続検出方法であって、前記直流ループの形成を前記網制御素子に指示して、前記直流ループの形成を試みる第１処理と、前記直流ループが形成されたか否かを検出する第２処理と、前記回線網から与えられる前記ダイヤルトーン信号の有無を検出する第３処理と、前記直流ループが未検出であり、前記第３処理において、前記ダイヤルトーン信号が検出されない場合、前記誤接続状態と判断して前記報知を行う第４処理と、を有することを特徴とする。
【発明の効果】
【０００７】
本発明の通信端末装置及びこれを用いた誤接続検出方法によれば、直流ループの形成が可能か否かを検出し、直流ループ未検出の場合は、網制御素子をオンフックデータモードに切り替えてダイヤルトーン信号の有無を検出し、ダイヤルトーン信号が検出されない場合に誤接続状態と判断している。これにより、誤接続状態の判断を確実に行え、ユーザに誤接続状態であることを報知することにより、誤接続状態を正しい接続状態へ直すことを促すことができる。
【図面の簡単な説明】
【０００８】
【図１】図１は本発明の実施例１における通信端末装置の構成の概略を示すブロック図である。
【図２】図２は本発明の実施例１における通信端末装置と回線網及び外付電話機との接続を示す図である。
【図３】図３は比較例における通信端末装置２Ａの構成の概略を示すブロック図である。
【図４】図４は実施例１における誤接続無し、且つ直流ループ検出の場合の動作を示すタイムチャートである。
【図５】図５は実施例１における誤接続無し、且つ直流ループ検出の場合の動作説明のためのブロック図である。
【図６】図６は実施例１における誤接続無し、且つ直流ループが未検出の場合の動作を示すタイムチャートである。
【図７】図７は実施例１における誤接続無し、且つ直流ループが未検出の場合の動作説明のためのブロック図である。
【図８】図８は実施例１における誤接続有りの場合の動作を示すタイムチャートである。
【図９】図９は実施例１における誤接続有りの場合の動作説明のためのブロック図である。
【図１０】図１０は本発明の実施例２における誤接続有りの場合の通信端末装置２Ｂの構成の概略を示すブロック図である。
【図１１】図１１は実施例２における誤接続有りの場合の動作を示すタイムチャートである。
【図１２】図１２は実施例２における誤接続有りの場合の通信端末装置２Ｂの構成の概略を示すブロック図である。
【図１３】図１３は実施例２における誤接続を検知して誤接続を正しい接続状態へ自動修正した場合の通信端末装置２Ｂの構成の概略を示すブロック図である。
【発明を実施するための形態】
【０００９】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１０】
（実施例１の構成）
図２は、本発明の実施例１における通信端末装置と回線網及び外付電話機との接続を示す図である。
【００１１】
電話回線網等の回線網１には、複数の通信端末装置２（＝２−１，２−２，・・・，２−ｎ）が接続されている。回線網１は、例えば、通信端末装置２−１の回線端子７に接続され、その通信端末装置２内の回線制御部３と接続されている。回線制御部３は、スキャナ部４と印刷部５とに接続されている。
【００１２】
通信端末装置２−１は、原稿をスキャナ部４で読み取り、回線制御部３を介して読み取った原稿のデータをファクシミリとして相手側の通信端末装置２−２〜２−ｎへ送ると共に、スキャナ部４でコピーとして読み取った原稿を印刷部５にて印刷する装置である。更に、通信端末装置２−１は、相手側の通信端末装置２−２〜２−ｎのスキャナ部４が読み取った原稿のデータをファクシミリとして受け取った場合、回線制御部３を介して印刷部５にて印刷する。
【００１３】
スキャナ部４は、原稿を読み取ってデータを出力するものであり、ファクシミリとして読み取って原稿のデータを回線制御部３へ出力すると共に、コピーとして読み取った原稿のデータを印刷部５へ出力するものである。更に、スキャナ部４は、表示部４ａを有し、この表示部４ａは、回線制御部３から与えられる情報に基づいて、操作ガイドや報知情報等を表示する。
【００１４】
外付電話機６は、通信端末装置２−１の電話端子８と接続され、その通信端末装置２−１内の回線制御部３を介して、回線網１と接続されている。この外付電話機６は、回線制御部３を介して相手側の通信端末装置２−２〜２−ｎに接続された電話機との会話で使用される。
【００１５】
回線端子７は、回線網１と接続される通信ケーブルの差込口であり、電話端子８は、外付電話機６と接続されるケーブルの差込口である。
【００１６】
図１は、本発明の実施例１における通信端末装置２の構成の概略を示すブロック図である。
通信制御部１０は、通信端末装置２中の回線制御部３の全体を制御するものであり、回線電圧測定指示部１１と、回線電圧判断部１２と、直流ループ形成指示部１３と、直流ループ検出部としての直流ループ形成判断部１４と、オンフックデータモード指示部１５と、ダイヤルトーン検定部１６と、誤接続判断部１７と、リレー駆動部１８と、を有している。
【００１７】
回線電圧測定指示部１１は、モデム２０内の制御用のインタフェース（以下「Ｉ／Ｆ」という。）２１と接続され、シリコンＤＡＡ３０に直流ループ形成部３５で計測される回線電圧の測定を指示する。回線電圧判断部１２は、直流ループ形成指示部１３とモデム２０内のＩ／Ｆ２１と接続され、測定された回線電圧をある閾値と比較して、閾値以上の場合、回線端子７か電話端子８のいずれかに回線網１が接続されていると判断し、閾値未満の場合、いずれにも回線網１が接続されていないと判断するものである。
【００１８】
直流ループ形成指示部１３は、モデム２０内の制御Ｉ／Ｆ２１と誤接続判断部１７とに接続され、直流ループ形成部３５で回線網１の直流ループ状態を捕捉する指示又は、回線網１の直流ループ状態を開放する指示をするものである。
【００１９】
直流ループ形成判断部１４は、モデム２０内の制御Ｉ／Ｆ２１とオンフックデータモード指示部１５と誤接続判断部１７とに接続され、シリコンＤＡＡ３０内の直流ループ測定部３３で測定された情報より直流ループ形成部３５にて回線網１の直流ループが形成されたか否かを判断するものである。
【００２０】
オンフックデータモード指示部１５は、モデム２０内の制御Ｉ／Ｆ２１及び直流ループ形成判断部１４と接続され、シリコンＤＡＡ３０を回線網１から見て高インピーダンス状態で回線網１からの信号を検出させるオンフックデータモードにするように指示するものである。
【００２１】
尚、シリコンＤＡＡ３０は、通常、入力インピーダンスを６００Ω等の所定のインピーダンスにして回線網１とマッチングさせて回線信号を検出するが、オンフックデータモードでは、６００Ωより高いインピーダンス（例えば、１ＭΩ）でシリコンＤＡＡ３０に回線信号を検出するものである。
【００２２】
ダイヤルトーン検定部１６は、モデム２０内の制御Ｉ／Ｆ２１と誤接続判断部１７とに接続され、オンフックデータモードになったシリコンＤＡＡ３０が受信したダイヤルトーン信号を検定するものである。誤接続判断部１７は、直流ループ形成判断部１４及びダイヤルトーン検定部１６からの情報により、誤接続されてしている否かを判断するものである。
【００２３】
リレー駆動部１８は、直流ループ形成部３５が回線網１の直流ループ状態を捕捉したり、回線網１の直流ループ状態を開放する際に、電話端子８に接続されたリレー接点３８をオンオフ制御するものである。
【００２４】
モデム２０は、回線網１からの回線信号を通信制御部１０で処理が可能にレベル変換したり、通信制御部１０からの信号を回線網１に送出するものであり、Ｉ／Ｆ２１とＩ／Ｆ２２とを有する。Ｉ／Ｆ２２は、Ｉ／Ｆ２１と絶縁受渡部２３とを接続する。Ｉ／Ｆ２１は、通信制御部１０とモデム２０との信号のやり取りのためのインタフェースである。Ｉ／Ｆ２２は、モデム２０とシリコンＤＡＡ３０との信号のやり取りのためのインタフェースである。絶縁受渡部２３は、回線網１の１次側と２次側を直流的に分離するものであり、モデム２０内のＩ／Ｆ２２とシリコンＤＡＡ３０内のＩ／Ｆ３１とを接続している。
【００２５】
シリコンＤＡＡ３０は、回線網１とモデム２０とを接続し、信号の送出や受信を行うものであり、Ｉ／Ｆ３１と回線電圧測定部３２と直流ループ測定部３３とリング検出部３４とを有する一般的な構成である。シリコンＤＡＡ３０内のＩ／Ｆ３１は、回線電圧測定部３２と直流ループ測定部３３とリング検出部３４と直流ループ形成部３５とに接続されている。
【００２６】
Ｉ／Ｆ３１は、回線網１からの回線信号をモデム２０へ伝えたり、モデム２０からの信号を回線網１へ送出したりするインタフェースである。回線電圧測定部３２は、直流ループ形成部３５に接続され、直流ループ形成部３５で接続される回線電圧を測定する。直流ループ測定部３３は、直流ループ形成部３５に接続され、直流ループ形成部３５で捕捉された直流ループ状態の電圧を測定するものである。
【００２７】
リング検出部３４は、絶縁受渡部３６を介してダイオードブリッジ３７に接続されている。リング検出部３４は、通常、回線網１から到来するリング信号を受信するが、ここでは、オンフックデータモードになったシリコンＤＡＡ３０の回線網１からの回線信号、特にダイヤルトーン信号を受信する。直流ループ形成部３５は、ダイオードブリッジ３７の正（＋）極とダイオードブリッジ３７の負（−）極とをシリコンＤＡＡ３０の接地端子（グランド）に接続され、回線網１の直流ループ状態を保持する。
【００２８】
ダイオードブリッジ３７の交流入力側Ａと交流入力側Ｂは、回線端子７と絶縁受渡部３６とリレー接点３８とに接続される。ダイオードブリッジ３７は、回線網１の直流の極性を直流ループ形成部３５に合わせるもので、回線網１の極性の有無に拘わらず、直流ループ形成部３５に一方向の直流電流が供給される。絶縁受渡部３６は、回線網１からの直流成分をカットしリング検出部３４に交流成分のみを供給して、リング検出部３４にリング信号を検出させたり、オンフックデータモードでの回線網１からのダイヤルトーン信号を受信させたりする。
【００２９】
リレー３８は、電話端子８と接続され、通信端末装置２が待機状態の場合、図１に示された状態で、ユーザが外付電話機６を使用できる。ファクシミリ通信等を行う場合、リレー３８を動作させて、外付電話機６を回線網１から切り離し、外付電話機６の送話器からのノイズ等がシリコンＤＡＡ３０を通じて、モデム２０に侵入しないようにするものである。
【００３０】
スキャナ部４が有する表示部４ａは、通信制御部１０内の誤接続判断部１７と接続され、誤接続判断部１７が誤接続状態と判断した場合、誤接続の警告を表示するものである。
【００３１】
（実施例１の動作）
先ず、（Ｉ）比較例の構成及び動作を説明した後に、（II）誤接続無し、且つ直流ループが検出された場合と、（III）誤接続無し、且つ直流ループが検出されない場合と、（IＶ）誤接続有りの場合と、に分けて、実施例１の動作について説明する。
【００３２】
（Ｉ）  比較例の構成及び動作
図３は、比較例における通信端末装置２Ａの構成の概略を示すブロック図であり、実施例１を示す図１と共通の要素には共通の符号が付されている。
【００３３】
比較例の通信端末装置２Ａは、実施例１の通信制御部１０とは構成及び機能が異なる通信制御部１０Ａを有している。通信制御部１０Ａは、実施例１の通信制御部１０と同様の回線電圧測定指示部１１と、回線電圧判断部１２と、直流ループ形成指示部１３と、直流ループ形成判断部１４と、誤接続判断部１７と、リレー駆動部１８と、を有するが、実施例１の通信制御部１０が有するオンフックデータモード指示部１５及びダイヤルトーン検定部１６を有していない。比較例の通信端末装置２Ａのその他の構成は、実施例１の通信端末装置２の構成と同様である。
【００３４】
比較例の通信端末装置２Ａでは、直流ループ形成指示部１３の指示に従い、直流ループ形成部３５が直流ループの形成を試みる。これに対し、直流ループ形成判断部１４は、直流ループが形成されたか否かを判断し、直流ループ未検出の場合、直流ループ未検出の信号を誤接続判断部１７へ出力する。誤接続判断部１７は、直流ループ形成判断部１４から直流ループ未検出の信号が入力されると、誤接続と判断し、スキャナ４内の表示部４ａへ誤接続である旨の報知信号を出力する。
【００３５】
しかし、直流ループ形成判断部１４において、直流ループ未検出であっても、直流電流が極端に少ないために、直流ループ未検出である等の誤接続ではない場合があり、比較例の通信端末装置２Ａでは、誤接続の検出が確実に行えない場合があった。そこで、図１に示された本発明の実施例１の通信端末装置２の構成を採用した。
【００３６】
（II）  誤接続無し、且つ直流ループが検出された場合
図４は、実施例１における誤接続無し、且つ直流ループが検出された場合の動作を示すタイムチャートであり、図５は、実施例１における誤接続無し、且つ直流ループ検出の場合の動作説明のためのブロック図である。
【００３７】
図１及び図５を参照しつつ、図４に示された動作タイムチャートに沿って、「誤接続無し、且つ直流ループが検出された場合」の動作を説明する。
【００３８】
先ず、時刻Ｔ１において、回線電圧測定指示部１１が、回線電圧の測定を指示する。即ち、回線電圧測定指示部１１は、モデム２０内の制御Ｉ／Ｆ２１及びＩ／Ｆ２２と、絶縁受渡部２３と、シリコンＤＡＡ３０内のＩ／Ｆ３１とを通して、直流ループ形成部３５へ電圧測定を指示する。
【００３９】
時刻Ｔ２において、回線電圧測定部３２は、直流ループ形成部３５の回線電圧をＩ／Ｆ３１と絶縁受渡部２３とＩ／Ｆ２２と制御Ｉ／Ｆ２１とを通して、回線電圧判断部１２に伝える。時刻Ｔ３において、回線電圧判断部１２は、取得した回線電圧の情報をある閾値と比較して、その閾値以上の場合、回線電圧検出と判断して次の動作に移行する。閾値未満の場合、回線電圧未検出と見なし、ケーブルが外れていると判断して、次の動作に移行しない。この場合、一定時間経過後に、通常の待機状態に戻る。
【００４０】
時刻Ｔ４において、回線電圧検出と判断した場合、直流ループ形成指示部１３は、モデム２０内の制御Ｉ／Ｆ２１とＩ／Ｆ２２と絶縁受渡部２３とシリコンＤＡＡ３０内のＩ／Ｆ３１を通して、直流ループ形成部３５に直流ループ形成を指示する。時刻Ｔ５において、直流ループ形成部３５は、直流ループを形成する。通信制御部１０内のリレー駆動部１８が、リレー接点３８を動作させて、直流ループが形成される。その時の接続状態が図５に示されている。図５中のリレー３８接点を見ると、電話端子８側の端子は、回線網１から切り離されて、非接続（ＮＣ）端子と接続され、外付電話機６は、通信端末装置２から切り離されている。
【００４１】
時刻Ｔ６において、直流ループ測定部３３は、直流ループ形成部３５で形成された直流電流の情報を、Ｉ／Ｆ３１と絶縁受渡部２３とＩ／Ｆ２２とＩ／Ｆ２１とを通して、直流ループ形成判断部１４に伝える。時刻Ｔ７において、直流ループ形成判断部１４は、直流ループ形成と判断し、その情報を誤接続判断部１７に伝える。時刻Ｔ８において、誤接続判断部１７では、直流ループ形成と判断された情報より、誤接続と判断しない。
【００４２】
更に、時刻Ｔ９において、直流ループ形成指示部１３は、直流ループ形成部３５に直流ループを開放するように指示する。通信制御部１０内のリレー駆動部１８が、リレー接点３８をオフし、外付電話機６が回線網１と接続された通常の待機状態に戻る。
【００４３】
（III）  誤接続無し、且つ直流ループが検出されない場合
図６は、実施例１における誤接続無し、且つ直流ループが未検出の場合の動作を示すタイムチャートであり、図７は、実施例１における誤接続無し、且つ直流ループが未検出の場合の動作説明のためのブロック図である。
【００４４】
図１及び図７を参照しつつ、図６に示された動作タイムチャートに沿って、「誤接続無し、且つ直流ループが未検出の場合」の動作を説明する。
【００４５】
先ず、時刻Ｔ１において、回線電圧測定指示部１１は、回線電圧の測定を指示する。即ち、回線電圧測定指示部１１は、モデム２０内のＩ／Ｆ２１及びＩ／Ｆ２２と、絶縁受渡部２３と、シリコンＤＡＡ３０内のＩ／Ｆ３１を通して、直流ループ形成部３５の電圧測定を指示する。時刻Ｔ２において、回線電圧測定部３２は、直流ループ形成部３５の回線電圧をＩ／Ｆ３１と絶縁受渡部２３と、Ｉ／Ｆ２２及びＩ／Ｆ２１を通して、回線電圧判断部１２に伝える。
【００４６】
時刻Ｔ３において、回線電圧判断部１２は、取得した回線電圧の情報をある閾値と比較して、その閾値以上の場合、回線電圧検出と判断して次の動作に移行する。閾値未満の場合、回線電圧未検出と見なし、ケーブルが外れていると判断して、次の動作に移行しない。この場合、所定時間経過後に、通常の待機状態へ戻る。
【００４７】
時刻Ｔ４において、回線電圧検出と判断した場合、直流ループ形成指示部１３は、モデム２０内のＩ／Ｆ２１及びＩ／Ｆ２２と、絶縁受渡部２３と、シリコンＤＡＡ３０内のＩ／Ｆ３１を通して、直流ループ形成部３５に直流ループ形成を指示する。時刻Ｔ５において、直流ループ形成部３５は、直流ループを形成する。通信制御部１０内のリレー駆動部１８が、リレー３８をオンして、直流ループが形成される。その時の状態が図７に示されている。図７に示された状態において、回線網１の電流値が非常に低い場合、シリコンＤＡＡ３０にて回線電流が流れていると判断できない場合がある。
【００４８】
時刻Ｔ６において、直流ループ測定部３３は、直流ループ形成部３５で形成された直流電流の情報をＩ／Ｆ３１と絶縁受渡部２３とＩ／Ｆ２２及びＩ／Ｆ２１を通して、直流ループ形成判断部１４へ伝える。この情報は、回線電流が流れていると判断できないものである。
【００４９】
時刻Ｔ７において、直流ループ形成判断部１４は、直流ループ形成と判断せず、その情報をオンフックデータモード指示部１５へ伝える。時刻Ｔ８において、オンフックデータモード指示部１５は、モデム２０内のＩ／Ｆ２１及びＩ／Ｆ２２と絶縁受渡部２３とシリコンＤＡＡ３０内のＩ／Ｆ３１を通して、シリコンＤＡＡ３０をオンフックデータモードにする。
【００５０】
時刻Ｔ９において、オンフックデータモードになったシリコンＤＡＡ３０は、高インピーダンスの状態で回線網１からのダイヤルトーン信号を取得する。時刻Ｔ１０において、ダイヤルトーン信号は、絶縁受渡部３６を通り、リング検出部３４で受信される。時刻Ｔ１１において、ダイヤルトーン信号が、Ｉ／Ｆ３１と絶縁受渡部２３とＩ／Ｆ２２及び制御Ｉ／Ｆ２１を通して、ダイヤルトーン検定部１６へ伝えられ、ダイヤルトーン検定を行う。検定ＯＫとなり誤接続判断部１７へ伝えられる。ダイヤルトーン検定ＮＧとなった場合には、回線を開放し、所定時間経過後に、通常の待機状態へ戻る。
【００５１】
時刻Ｔ１２において、誤接続判断部１７は、ダイヤルトーン検定ＯＫと判断された情報より、誤接続と判断しない。時刻Ｔ１３において、直流ループ形成指示部１３は、直流ループ形成部３５に直流ループを開放するように指示する。通信制御部１０内のリレー駆動部１８が、リレー接点３８をオフし、通常の待機状態に戻る。
【００５２】
（IＶ）  誤接続有りの場合
図８は、実施例１における誤接続有りの場合の動作を示すタイムチャートであり、図９は、実施例１における誤接続有りの場合の動作説明のためのブロック図である。
【００５３】
図１及び図９を参照しつつ、図８に示されたタイムチャートに沿って、「誤接続有りの場合」の動作を説明する。
【００５４】
先ず、時刻Ｔ１において、回線電圧測定指示部１１は、回線電圧の測定を指示する。即ち、回線電圧測定指示部１１は、モデム２０内のＩ／Ｆ２１及びＩ／Ｆ２２と絶縁受渡部２３とシリコンＤＡＡ３０内のＩ／Ｆ３１を通して、直流ループ形成部３５の電圧測定を指示する。
【００５５】
時刻Ｔ２において、回線電圧測定部３２は、直流ループ形成部３５の回線電圧をＩ／Ｆ３１と絶縁受渡部２３とＩ／Ｆ２２及び制御Ｉ／Ｆ２１を通して、回線電圧判断部１２に伝える。時刻Ｔ３において、回線電圧判断部１２は、取得した回線電圧の情報をある閾値と比較して、その閾値以上の場合、回線電圧検出と判断して次の動作に移行する。閾値未満の場合、回線電圧未検出と見なし、ケーブルが外れていると判断して、次の動作に移行しない。この場合、所定時間経過後に、通常の待機状態に戻る。
【００５６】
時刻Ｔ４において、回線電圧検出と判断した場合、直流ループ形成指示部１３は、モデム２０内のＩ／Ｆ２１及びＩ／Ｆ２２と絶縁受渡部２３とシリコンＤＡＡ３０内のＩ／Ｆ３１を通して、直流ループ形成部３５に直流ループ形成を指示する。
【００５７】
時刻Ｔ５において、直流ループ形成部３５は、直流ループの形成を試みる。通信制御部１０内のリレー駆動部１８が、リレー３８をオンして、直流ループが形成されようとする。この時の接続状態が図９に示されている。図９に示された接続状態において、回線端子７に接続されているのは外付電話機６なので、直流ループが形成されない。
【００５８】
時刻Ｔ６において、直流ループ測定部３３が、直流ループ形成部３５で形成された直流電流の情報をＩ／Ｆ３１と絶縁受渡部２３とＩ／Ｆ２２及び制御Ｉ／Ｆ２１を通して、直流ループ形成判断部１４へ伝える。時刻Ｔ７において、直流ループ形成判断部１４は、直流ループ未形成と判断し、その情報をオンフックデータモード指示部１５に伝える。時刻Ｔ８において、オンフックデータモード指示部１５は、モデム２０内のＩ／Ｆ２１及びＩ／Ｆ２２と絶縁受渡部２３とシリコンＤＡＡ３０内のＩ／Ｆ３１を通して、シリコンＤＡＡ３０をオンフックデータモードにする。
【００５９】
時刻Ｔ９において、オンフックデータモードになったシリコンＤＡＡ３０は、高インピーダンスの状態で回線網１からの信号を取得する。時刻Ｔ１０において、回線網１から取得された回線信号は、絶縁受渡部３６を通り、リング検出部３４で受信される。時刻Ｔ１１において、回線網１から取得された回線信号は、Ｉ／Ｆ３１と絶縁受渡部２３とＩ／Ｆ２２及び制御Ｉ／Ｆ２１を通して、ダイヤルトーン検定部１６へ伝えられダイヤルトーン検定が行われる。検定ＮＧとなり誤接続判断部１７へ伝えられる。もし、ダイヤルトーンＯＫとなった場合は、何かのノイズ等が考えられる。この場合、回線網１を開放し、所定時間経過後に、通常の待機状態へ戻る。
【００６０】
時刻Ｔ１２において、誤接続判断部１７は、ダイヤルトーン検定ＮＧと判断された情報より、誤接続と判断する。時刻Ｔ１３において、誤接続有りと判断したので、スキャナ部４内の表示部４ａは、誤接続の警告を表示して、ユーザに注意を喚起して正常な接続への改めるように促す。
【００６１】
更に、直流ループ形成指示部１３は、直流ループ形成部３５に直流ループ状態を開放するように指示する。通信制御部１０内のリレー駆動部１８が、リレー接点３８をオフにし、通常の待機状態へ戻る。
【００６２】
（実施例１の効果）
本発明の実施例１における通信端末装置２及びこれを用いた誤接続検出方法によれば、直流ループ検出と、オンフックデータモードでのダイヤルトーン信号の検定と、を組み合わせて、回線端子７及び／又は電話端子８に対して、電話回線１及び／又は外付電話機６が誤接続された誤接続状態を判断するようにしている。そのため、回線の電流が非常に低く、シリコンＤＡＡ３０にて回線電流が流れているか否かを判断できない場合にも、シリコンＤＡＡ３０をオンフックデータモードにしてダイヤルトーン信号を検定することにより、誤接続状態か否かの判断を確実に行うことができ、更に、ユーザに誤接続の警告を通知することにより正常接続を促す効果が得られる。
【実施例２】
【００６３】
（実施例２の構成）
図１０は、本発明の実施例２における誤接続有りの場合の通信端末装置２Ｂの構成の概略を示すブロック図であり、実施例１を示す図１と共通の要素には共通の符号が付されている。
【００６４】
図１０に示された通信端末装置２Ｂ中の回線制御部３Ｂは、実施例１と同様の図１に示された回線制御部３に対して、実施例１のリレー駆動部１８とは機能が異なるリレー駆動部１８Ａによりオンオフ制御されるリレー接点３９とリレー接点４０とが新たに追加されている。
【００６５】
一方のリレー接点３９には、ダイオードブリッジ３７の交流入力側Ａと絶縁受渡部３６とリレー３８、及び、回線端子７とリレー４０、及び電話端子８が接続されている。他方のリレー接点４０は、ダイオードブリッジ３７の交流入力側Ｂと絶縁受渡部３６とリレー３８、及び、回線端子７とリレー４０、及び電話端子８に接続されている。
【００６６】
リレー接点３９とリレー接点４０は、通常、図１０に示されているようにオフ状態であるが、誤接続有りと判断された場合、実施例１のリレー駆動部１８とは機能の異なるリレー駆動部１８Ａによりリレー接点３９，４０をオン状態に駆動して、誤接続状態を正常な接続状態にするものである。実施例２のその他の構成は、実施例１と同様である。
【００６７】
（実施例２の動作）
実施例２の動作の内、「誤接続無し、且つ直流ループが検出された場合」の動作と、「誤接続無し、且つ直流ループが検出されない場合」の動作は、実施例１の動作と同様であるので、「誤接続有りの場合」の動作について以下説明する。
【００６８】
図１１は、実施例２における誤接続有りの場合の動作を示すタイムチャートであり、図１２は、実施例２における誤接続有りの場合の通信端末装置２Ｂの構成の概略を示すブロック図であり、更に、図１３は、実施例２における誤接続を検知して誤接続を正しい接続状態へ自動修正した場合の通信端末装置２Ｂの構成の概略を示すブロック図である。
【００６９】
図１０、図１２、図１３を参照しつつ、図１１に示されたタイムチャートに基づいて、実施例２の「誤接続有りの場合」の動作を説明する。
【００７０】
先ず、時刻Ｔ１において、回線電圧測定指示部１１は、回線電圧の測定を指示する。即ち、回線電圧測定指示部１１は、モデム２０内のＩ／Ｆ２１及びＩ／Ｆ２２と、絶縁受渡部２３と、シリコンＤＡＡ３０内のＩ／Ｆ３１を通して、直流ループ形成部３５の電圧測定を指示する。
【００７１】
時刻Ｔ２において、回線電圧測定部３２は、直流ループ形成部３５の回線電圧をＩ／Ｆ３１と絶縁受渡部２３とＩ／Ｆ２２及び制御Ｉ／Ｆ２１を通して、回線電圧判断部１２へ伝える。時刻Ｔ３において、回線電圧判断部１２は、取得した回線電圧の情報をある閾値と比較して、その閾値以上の場合、回線電圧検出と判断して次の動作に移行する。閾値未満の場合、回線電圧未検出と見なし、ケーブルが外れていると判断して、次の動作に移行しない。この場合、所定時間経過後に、通常の待機状態へ戻る。
【００７２】
時刻Ｔ４において、回線電圧検出と判断した場合、直流ループ形成指示部１３は、モデム２０内のＩ／Ｆ２１及びＩ／Ｆ２２と絶縁受渡部２３とシリコンＤＡＡ３０内のＩ／Ｆ３１を通して、直流ループ形成部３５に直流ループ形成を指示する。時刻Ｔ５において、直流ループ形成部３５は、直流ループを形成しようとする。その時の接続状態が図１２に示されている。図１２において、リレー接点３８がオン状態にしている。しかし、回線端子７に接続されているのは外付電話機６なので、直流ループは形成されない。
【００７３】
時刻Ｔ６において、直流ループ測定部３３は、直流ループ形成部３５で形成された直流電流の情報をＩ／Ｆ３１と絶縁受渡部２３とＩ／Ｆ２２及びＩ／Ｆ２１を通して、直流ループ形成判断部１４へ伝える。時刻Ｔ７において、直流ループ形成判断部１４は、直流ループ形成とは判断せず、その情報をオンフックデータモード指示部１５へ伝える。
【００７４】
時刻Ｔ８において、オンフックデータモード指示部１５は、モデム２０内のＩ／Ｆ２１及びＩ／Ｆ２２と、絶縁受渡部２３と、シリコンＤＡＡ内のＩ／Ｆ３１を通して、シリコンＤＡＡ３０をオンフックデータモードにする。時刻Ｔ９において、オンフックデータモードになったシリコンＤＡＡ３０は、高インピーダンスの状態で回線網１からの回線信号を取得する。
【００７５】
時刻Ｔ１０において、回線網１から取得した回線信号は、絶縁受渡部３６を通り、リング検出部３４で受信される。時刻Ｔ１１において、回線網１から取得した回線信号が、Ｉ／Ｆ３１と絶縁受渡部２３と、Ｉ／Ｆ２２及びＩ／Ｆ２１を通して、ダイヤルトーン検定部１６へ伝えられ、ダイヤルトーン検定を行う。検定ＮＧとなり誤接続判断部１７へ伝えられる。もし、ダイヤルトーンＯＫとなった場合は、何かのノイズ等が考えられる。この場合、回線を開放し、所定時間経過後に、通常の待機状態へ戻る。
【００７６】
時刻Ｔ１２において、誤接続判断部１７は、ダイヤルトーン検定ＮＧと判断された情報より、誤接続状態と判断する。時刻Ｔ１３において、誤接続判断部１７は、誤接続状態と判断したので、直流ループ形成指示部１３に直流ループ状態を開放させる。通信制御部１０Ｂ内のリレー駆動部１８Ａは、リレー接点３８をオフ状態にする。時刻Ｔ１４において、通信制御部１０Ｂ内のリレー駆動部１８Ａは、リレー接点３９及び４０をオン状態にする。この状態が図１３に示されている。
【００７７】
その後、時刻Ｔ１〜時刻Ｔ９の処理を実行して、回線端子７及び（／又は）電話端子８と回線網１及び（／又は）外付電話機６との接続状態を再確認するようにしても良い。
【００７８】
（実施例２の効果）
本発明の実施例２によれば、実施例１の構成に、新たに、誤接続状態と判断された場合に接続状態を反転するリレー３９及び４０が追加されている。そのため、実施例１の効果に加え、更に、誤接続状態と判断された場合、リレー接点３９及び４０をオン状態することにより、自動的に正常な接続状態に切り替えることが可能となる。
【００７９】
（変形例）
本発明は、上記実施例１、２に限定されず、種々の利用形態や変形例が可能である。この利用形態や変形例として、例えば、次の（１）、（２）のようなものがある。
【００８０】
（１）  本発明の実施例１、２の通信端末装置２，２Ｂでは、スキャナ部４と印刷部５とが装置に内蔵されているとして説明したが、別々に設けられたスキャナ部４と印刷部５とを回線網１を介して接続した通信システムにも適用可能である。
【００８１】
（２）    本発明の実施例１、２の通信端末装置として、ファクシミリ装置を例にして説明したが、本発明は、ファクシミリ機能内蔵電話機、複合機等の電話回線網に接続して使用する装置で、外付電話機を接続できる装置にも適用することができる。
【符号の説明】
【００８２】
１        回線網
２（２−１，・・・２−ｎ），２Ａ，２Ｂ        通信端末装置
３，３Ａ，３Ｂ        回線制御部
４        スキャナ部
４ａ        表示部
５        印刷部
６        外付電話機
７        回線端子
８        電話端子
１０，１０Ａ，１０Ｂ        通信制御部
１１        回線電圧測定指示部
１２        回線電圧判断部
１３        直流ループ形成指示部
１４        直流ループ形成判断部
１５        オンフックデータモード指示部
１６        ダイヤルトーン検定部
１７        誤接続判断部
１８，１８Ａ        リレー駆動部
３０        シリコンＤＡＡ
３２        回線電圧測定部
３３        直流ループ測定部
３４        リング検出部
３５        直流ループ形成部
３７        ダイオードブリッジ
３８，３９，４０        リレー接点
【図１】
2014155137.tif 000003
【図２】
2014155137.tif 000004
【図３】
2014155137.tif 000005
【図４】
2014155137.tif 000006
【図５】
2014155137.tif 000007
【図６】
2014155137.tif 000008
【図７】
2014155137.tif 000009
【図８】
2014155137.tif 000010
【図９】
2014155137.tif 000011
【図１０】
2014155137.tif 000012
【図１１】
2014155137.tif 000013
【図１２】
2014155137.tif 000014
【図１３】
2014155137.tif 000015